(57)【要約】【課題】信頼性が高い波長変換素子、光源装置及びプロジェクターを提供すること。【解決手段】波長変換素子５は、蛍光を射出する波長変換材料をそれぞれ含有する複数の粒子が含まれる蛍光流体ＦＦと、内部を蛍光流体ＦＦが流動可能に構成された中空部材５１と、中空部材５１の内部で蛍光流体ＦＦを流動させる流動装置（流体圧送装置５４、流体吐出装置５５）と、を備える。中空部材５１は、波長変換材料から射出された蛍光を透過させる光透過部５１２を有する。【選択図】図２
2017027875.tif 000002
【特許請求の範囲】
【請求項１】
蛍光を射出する波長変換材料を含有する複数の粒子が含まれる蛍光流体と、
内部を前記蛍光流体が流動可能に構成された中空部材と、
前記中空部材の内部で前記蛍光流体を流動させる流動装置と、を備え、
前記中空部材は、前記波長変換材料から射出された前記蛍光を透過させる光透過部を有することを特徴とする波長変換素子。
【請求項２】
請求項１に記載の波長変換素子において、
前記蛍光流体は、前記中空部材の内部を前記蛍光流体が流動する方向に垂直な前記中空部材の断面において、前記中空部材の内部を満たすように流動することを特徴とする波長変換素子。
【請求項３】
請求項１に記載の波長変換素子において、
前記蛍光流体は、前記中空部材の内部を前記蛍光流体が流動する方向に垂直な前記中空部材の断面の一部を流動することを特徴とする波長変換素子。
【請求項４】
請求項１から請求項３のいずれか一項に記載の波長変換素子において、
前記中空部材は、前記蛍光を前記光透過部に向けて反射させる光反射部を有することを特徴とする波長変換素子。
【請求項５】
請求項４に記載の波長変換素子において、
前記光反射部の、前記中空部材の内部を前記蛍光流体が流動する方向に垂直な断面は、曲線部を有することを特徴とする波長変換素子。
【請求項６】
請求項１から請求項３のいずれか一項に記載の波長変換素子において、
放物面状の反射面を有するリフレクターを備え、
前記リフレクターは、前記中空部材が前記反射面の焦点を通過するように配置されていることを特徴とする波長変換素子。
【請求項７】
請求項１から請求項６のいずれか一項に記載の波長変換素子において、
前記流動装置は、前記蛍光流体を前記中空部材内に吐出する流体吐出装置を含むことを特徴とする波長変換素子。
【請求項８】
請求項１から請求項７のいずれか一項に記載の波長変換素子において、
前記流動装置は、前記蛍光流体を吸引及び圧送して、前記蛍光流体を循環させる流体圧送装置を含むことを特徴とする波長変換素子。
【請求項９】
請求項１から請求項８のいずれか一項に記載の波長変換素子において、
前記光透過部は、ガラス、セラミックス及び単結晶体のいずれかにより構成されていることを特徴とする波長変換素子。
【請求項１０】
請求項１から請求項９のいずれか一項に記載の波長変換素子と、
前記蛍光流体に照射される励起光を射出する発光素子と、を備えることを特徴とする光源装置。
【請求項１１】
請求項５に記載の波長変換素子と、
前記蛍光流体に照射される励起光を射出する発光素子と、
前記光透過部に対向して配置されるピックアップレンズと、を備え、
前記光反射部は、前記ピックアップレンズの取り込み角に応じて設けられていることを特徴とする光源装置。
【請求項１２】
請求項１０又は請求項１１に記載の光源装置を備えることを特徴とするプロジェクター。
【発明の詳細な説明】
【技術分野】
【０００１】
本発明は、波長変換素子、光源装置及びプロジェクターに関する。
【背景技術】
【０００２】
従来、入射される励起光によって励起されて蛍光を射出する波長変換素子を有する光源装置が知られている（例えば、特許文献１参照）。
この特許文献１に記載の光源装置は、固体の蛍光体層と接合層とが放熱基板上に設けられた波長変換素子を有する。この波長変換素子における蛍光体層は、固体光源から励起光が入射されると、蛍光体粒子が励起されて、固体光源の発光波長より長波長の蛍光を射出する。
このような光源装置は、プロジェクターに採用可能である。このようなプロジェクターでは、上記蛍光を含む照明光が変調されて画像情報に応じた画像が形成され、当該画像がスクリーン等の被投射面に投射される。
【先行技術文献】
【特許文献】
【０００３】
【特許文献１】特開２０１２−２４３６１８号公報
【発明の概要】
【発明が解決しようとする課題】
【０００４】
ところで、蛍光体粒子を含有する蛍光体層には、熱応力やクラック等の不良によって、破損が生じるおそれがある。このような破損箇所に上記励起光が照射されても、蛍光は発生しないため、光源装置からの射出光量が低下してしまう。このような光源装置がプロジェクターに採用されている場合には、投射画像の輝度が低下するという問題がある。このため、安定して蛍光を射出可能な波長変換素子、ひいては、光源装置が要望されてきた。
【０００５】
本発明は、上記課題の少なくとも一部を解決することを目的としたものであり、信頼性が高い、波長変換素子、光源装置及びプロジェクターを提供することを目的の１つとする。
【課題を解決するための手段】
【０００６】
本発明の第１態様に係る波長変換素子は、蛍光を射出する波長変換材料を含有する複数の粒子が含まれる蛍光流体と、内部を前記蛍光流体が流動可能に構成された中空部材と、前記中空部材の内部で前記蛍光流体を流動させる流動装置と、を備え、前記中空部材は、前記波長変換材料から射出された前記蛍光を透過させる光透過部を有することを特徴とする。
【０００７】
上記第１態様によれば、波長変換材料を含有する粒子が複数含まれる蛍光流体が、流動装置によって中空部材内を流動する。この蛍光流体の波長変換材料から射出された蛍光は、中空部材の光透過部を透過して外部に射出される。これによれば、蛍光流体は、流体であることから破損しないので、従来用いられている固体の蛍光体層にて生じるような破損による射出光量の低下が発生することがない。従って、蛍光を安定して射出でき、信頼性の高い波長変換素子を構成できる。
【０００８】
上記第１態様では、前記蛍光流体は、前記中空部材の内部を前記蛍光流体が流動する方向に垂直な前記中空部材の断面において、前記中空部材の内部を満たすように流動することが好ましい。
このような構成によれば、中空部材内に励起光を入射させさえすれば、当該励起光を蛍光流体に照射でき、これにより、蛍光を発生させることができる。このため、励起光が蛍光流体に照射されるように、励起光の照射位置や蛍光流体の流動位置を細かく調整する必要がない。従って、一層安定して蛍光を射出でき、より信頼性の高い波長変換素子を構成できる。
【０００９】
上記第１態様では、前記蛍光流体は、前記中空部材の内部を前記蛍光流体が流動する方向に垂直な前記中空部材の断面の一部を流動することが好ましい。
蛍光流体にて生じた蛍光は、励起光の照射位置から外側に広がった後、蛍光流体の界面から射出される。このため、中空部材内を流動する蛍光流体の直径が小さい方が、発光面積が小さくなり、生じた蛍光を利用しやすくなる。上記構成によれば、少なくとも中空部材の直径より蛍光流体の直径が小さいので、蛍光の発光面積を比較的小さくすることができる。
【００１０】
上記第１態様では、前記中空部材は、前記蛍光を前記光透過部に向けて反射させる光反射部を有することが好ましい。
蛍光流体にて生じる蛍光は、拡散して射出される。上記構成によれば、蛍光流体の径方向外側に拡散して射出される蛍光を含む光を光反射部にて反射させることにより、これら光を利用しやすくすることができる。
【００１１】
上記第１態様では、前記光反射部の、前記中空部材の内部を前記蛍光流体が流動する方向に垂直な断面は、曲線部を有することが好ましい。
このような構成によれば、光反射部が、蛍光流体の流動方向に沿って見て曲線状の反射面を有するリフレクターのように機能して、発生した蛍光を効率よく集光できる。従って、発生した蛍光の利用効率をより高めることができる。
【００１２】
上記第１態様では、放物面状の反射面を有するリフレクターを備え、前記リフレクターは、前記中空部材が前記反射面の焦点を通過するように配置されていることが好ましい。
このような構成によれば、蛍光をリフレクターによって効率よく集光できる。
【００１３】
上記第１態様では、前記流動装置は、前記蛍光流体を前記中空部材内に吐出する流体吐出装置を含むことが好ましい。
なお、流体吐出装置としては、例えば、ウォータージェット方式、気泡を生じさせて噴射する噴射方式及びレーザー誘起ジェット方式のいずれかにより蛍光流体を噴射する噴射装置や、ソレノイド及びピエゾ等を用いて蛍光流体を噴射する噴射装置を採用できる。
上記構成によれば、流体吐出装置によって、中空部材内に蛍光流体を供給できる。また、流体吐出装置として上記噴射装置が採用される場合には、小さな直径の蛍光流体を中空部材内に供給できる。
【００１４】
上記第１態様では、前記流動装置は、前記蛍光流体を吸引及び圧送して、前記蛍光流体を循環させる流体圧送装置を含むことが好ましい。
このような構成によれば、蛍光流体を循環させることができるので、中空部材を流動した蛍光流体を再利用できる。
【００１５】
上記第１態様では、前記光透過部は、ガラス、セラミックス及び単結晶体のいずれかにより構成されていることが好ましい。
このような構成によれば、蛍光流体に照射される励起光、及び、蛍光流体にて生じた蛍光を確実に透過させることができる他、蛍光の発生に際して生じる熱に対する耐熱性を確保できる。
【００１６】
本発明の第２態様に係る光源装置は、上記波長変換素子と、前記蛍光流体に照射される励起光を射出する発光素子と、を備えることを特徴とする。
上記第２態様によれば、上記波長変換素子と同様の効果を奏する。
【００１７】
本発明の第３態様に係る光源装置は、上記波長変換素子と、前記蛍光流体に照射される励起光を射出する発光素子と、前記光透過部に対向して配置されるピックアップレンズと、を備え、前記光反射部は、前記ピックアップレンズの取り込み角に応じて設けられていることを特徴とする。
上記第３態様によれば、上記光反射部が曲線部を有する波長変換素子と同様の効果を奏することができる。また、生じた蛍光を集光するピックアップレンズの取り込み角に応じて光反射部が設けられているので、ピックアップレンズは高い効率で蛍光を取り込むことができる。
【００１８】
本発明の第４態様に係るプロジェクターは、上記光源装置を備えることを特徴とする。
上記第４態様によれば、上記光源装置と同様の効果を奏することができる他、信頼性の高いプロジェクターを構成できる。
【図面の簡単な説明】
【００１９】
【図１】本発明の第１実施形態に係るプロジェクターの概略構成を示す模式図。
【図２】上記第１実施形態における光源装置の構成を示す模式図。
【図３】上記第１実施形態における蛍光流体の流動位置を示す中空部材の断面図。
【図４】上記第１実施形態における蛍光流体によって満たされた中空部材の断面図。
【図５】本発明の第２実施形態に係るプロジェクターが備える光源装置の一部の構成を示す模式図。
【図６】上記第２実施形態における中空部材を示す断面図。
【図７】上記第２実施形態における中空部材の変形例を示す断面図。
【図８】上記第２実施形態における中空部材の変形例を示す断面図。
【図９】上記第２実施形態における中空部材の変形例を示す断面図。
【図１０】本発明の第３実施形態に係るプロジェクターが備える光源装置の一部の構成を示す模式図。
【図１１】上記第３実施形態における中空部材を示す断面図。
【図１２】上記第３実施形態における中空部材を示す断面図。
【図１３】上記第３実施形態における中空部材の変形例を示す断面図。
【図１４】本発明の第４実施形態に係るプロジェクターが有する中空部材が円運動する様子を示す図。
【発明を実施するための形態】
【００２０】
［第１実施形態］
以下、本発明の第１実施形態について、図面に基づいて説明する。
［プロジェクターの概略構成］
図１は、本実施形態に係るプロジェクター１の構成を示す模式図である。
プロジェクター１は、内部に設けられた光源装置から射出された光を変調して画像情報に応じた画像を形成し、当該画像をスクリーン等の被投射面ＰＳ上に拡大投射する表示装置である。
このプロジェクター１は、図１に示すように、外装筐体２と、当該外装筐体２内に収納される光学ユニット３と、を備える。この他、プロジェクター１は、図示を省略するが、当該プロジェクター１を制御する制御装置、冷却対象を冷却する冷却装置、及び、当該プロジェクター１を構成する電子部品に電力を供給する電源装置等を備える。
【００２１】
［光学ユニットの構成］
光学ユニット３は、上記画像を形成及び投射する光学装置である。この光学ユニット３は、光源装置４、色分離装置３１、光変調装置３２、色合成装置３３及び投射光学装置３４を備える。
これらのうち、光源装置４は、色分離装置３１に向けて照明光ＷＬを射出する。この光源装置４の構成については、後に詳述する。
【００２２】
色分離装置３１は、光源装置４から入射される照明光ＷＬを、赤色光ＬＲ、緑色光ＬＧ及び青色光ＬＢに分離する。この色分離装置３１は、ダイクロイックミラー３１１，３１２、全反射ミラー３１３，３１４，３１５及びリレーレンズ３１６，３１７を備える。
ダイクロイックミラー３１１は、赤色光ＬＲを透過させ、その他の色光（緑色光ＬＧ及び青色光ＬＢ）を反射させる。ダイクロイックミラー３１２は、青色光ＬＢを透過させ、緑色光ＬＧを反射させる。
【００２３】
全反射ミラー３１３は、赤色光ＬＲの光路中に配置され、ダイクロイックミラー３１１を透過した赤色光ＬＲを光変調装置３２（３２Ｒ）に向けて反射させる。また、全反射ミラー３１４，３１５は、青色光ＬＢの光路中に配置され、ダイクロイックミラー３１２を透過した青色光ＬＢを光変調装置３２（３２Ｂ）に導く。なお、緑色光ＬＧは、上記ダイクロイックミラー３１２にて、光変調装置３２（３２Ｇ）に向けて反射される。
リレーレンズ３１６，３１７は、青色光ＬＢの光路の、ダイクロイックミラー３１２の下流に配置されている。これらリレーレンズ３１６，３１７は、青色光ＬＢの光路長が赤色光ＬＲや緑色光ＬＧの光路長よりも長くなることによる青色光ＬＢの光損失を補償する機能を有する。
【００２４】
光変調装置３２（３２Ｒ，３２Ｇ，３２Ｂ）は、それぞれ入射される各色光ＬＲ，ＬＧ，ＬＢを変調して、画像情報に応じた画像を形成する。これら光変調装置３２は、それぞれ、フィールドレンズ３２１及び液晶ライトバルブ３２２を有する。
フィールドレンズ３２１は、入射される光を平行化する。
液晶ライトバルブ３２２は、図示を省略するが、液晶パネルと、当該液晶パネルの光入射側及び光射出側に位置する入射側偏光板及び射出側偏光板と、を有する。そして、液晶ライトバルブ３２２は、上記制御装置から入力される画像情報に応じて、入射される色光を変調する。
【００２５】
色合成装置３３には、各光変調装置３３Ｒ，３３Ｇ，３３Ｂから入射される各色光ＬＲ，ＬＧ，ＬＢに対応した画像を合成する。このような色合成装置３３は、例えば、クロスダイクロイックプリズムにより構成できる。
投射光学装置３４は、色合成装置３３にて合成された画像を上記被投射面ＰＳ（スクリーン等）に投射する。これにより、拡大された画像が上記被投射面ＰＳに投射される。
【００２６】
［光源装置の構成］
図２は、光源装置４の構成を示す模式図である。
光源装置４は、図２に示すように、波長変換素子５及び発光素子６を有する。波長変換素子５は、中空部材５１、複数の循環部材５２、貯留部材５３、流体圧送装置５４、流体吐出装置５５と、これらによって形成される循環流路を流動する蛍光流体ＦＦと、リフレクター５６と、を備える。
蛍光流体ＦＦは、発光素子６から入射される励起光ＢＬによって励起されて蛍光を射出する波長変換材料を含有する複数の粒子を含む。
光源装置４は、循環流路を流動している蛍光流体ＦＦにて生成された蛍光と励起光ＢＬの一部とを含む白色の照明光ＷＬを色分離装置３１に射出する。
【００２７】
波長変換材料には、黄色蛍光体、緑色蛍光体及び赤色蛍光体の少なくともいずれかが含まれる。これら蛍光体の含有比率は、光源装置４から射出される光の波長に基づいて設定される。
黄色蛍光体としては、Ｙ３Ａｌ５Ｏ１２：Ｃｅ３＋（ＹＡＧ）、（Ｓｒ，Ｂａ）２ＳｉＯ４：Ｅｕ２＋、及び、Ｃａｘ（Ｓｉ，Ａｌ）１２（Ｏ，Ｎ）１６：Ｅｕ２＋を例示できる。
緑色蛍光体としては、Ｌｕ３Ａｌ５Ｏ１２：Ｃｅ３＋、Ｙ３Ｏ４：Ｅｕ２＋、（Ｂａ，Ｓｒ）２ＳｉＯ４：Ｅｕ２＋、Ｂａ３Ｓｉ６Ｏ１２Ｎ２：Ｅｕ２＋、及び、（Ｓｉ，Ａｌ）６（Ｏ，Ｎ）８：Ｅｕ２＋を例示できる。
赤色蛍光体としては、ＣａＡｌＳｉＮ３：Ｅｕ２＋、Ｃａ２Ｓｉ５Ｎ８：Ｅｕ２＋、ＫＳｉＦ６：Ｍｎ４＋、及び、ＫＴｉＦ６：Ｍｎ４＋を例示できる。
【００２８】
また、蛍光流体ＦＦの溶媒としては、透明なことが求められる他、上記粒子の分散性が高いこと、及び、沸点が高いことが求められる。これらの条件に合致する溶媒としては、ブタノール、エタノール、トルエン、エキシン等の有機溶剤や、水を例示できる。なお、粒子の分散性を高める場合には、ナノ粒子等の分散剤を上記溶媒に添加してもよい。
【００２９】
［中空部材の構成］
中空部材５１は、複数の循環部材５２とともに、上記循環流路を形成する。この中空部材５１は、円筒状の管状部材である本体部５１１を有する。蛍光流体ＦＦは、後述する流体吐出装置５５によって噴射されて本体部５１１内を流動する。
本体部５１１は、蛍光を透過させる光透過部５１２を有する。本実施形態においては、光透過部５１２は、励起光ＢＬの波長帯の光も透過させる。光透過部５１２は、中空部材５１のうちリフレクター５６の内部に収容されている部分で、かつ励起光ＢＬの光路上に設けられている。これにより、励起光ＢＬは、光透過部５１２から蛍光流体ＦＦに照射され、蛍光ＦＬと、励起光ＢＬのうち蛍光に変換されなかった光とは、リフレクター５６に向けて光透過部５１２から射出される。
蛍光流体ＦＦにおいて蛍光が発生することによって波長変換材料が発熱するため、光透過部５１２には耐熱性が求められる。光透過性及び耐熱性が高い材料として、ガラス、セラミックス及び単結晶体等の光透過性材料を例示できる。また、本体部５１１は、ガラスで形成されているが、光透過部５１２を除く本体部５１１は、光を透過しない材料により形成されていてもよい。要は、本体部５１１は、光透過部５１２を有するとともに、発光素子６から射出された励起光ＢＬが蛍光流体ＦＦに入射するように、励起光ＢＬを透過させることができる部位を有していればよい。本実施形態では、光透過部５１２が、励起光ＢＬを透過させることができる部位として機能している。
【００３０】
［循環部材の構成］
複数の循環部材５２は、循環部材５２１〜５２３によって構成されている。循環部材５２１は、中空部材５１における蛍光流体ＦＦの流動方向側の端部と貯留部材５３とを接続する。循環部材５２２は、貯留部材５３と流体圧送装置５４とを接続し、循環部材５２３は、流体圧送装置５４と流体吐出装置５５とを接続する。このように、複数の循環部材５２は中空部材５１とともに、蛍光流体ＦＦの循環流路を形成している。
流体吐出装置５５を流動起点とした場合に、蛍光流体ＦＦは、中空部材５１、循環部材５２１、貯留部材５３、循環部材５２２、流体圧送装置５４、循環部材５２３の順で流動し、再度、流体吐出装置５５により噴射される。
このような循環部材５２には、内部を上記蛍光流体ＦＦが流動可能であることが求められる。この条件に合致する循環部材５２としては、ゴム、金属筒、ガラス及び樹脂製のホースを例示できる。
【００３１】
［貯留部材の構成］
貯留部材５３は、いわゆるタンクであり、循環部材５２１を介して中空部材５１から流入した蛍光流体ＦＦを一時的に貯留して、循環流路内の蛍光流体ＦＦが途絶えないようにする他、当該蛍光流体ＦＦを冷却する。このため、貯留部材５３は、金属等の熱伝導性材料により構成されることが好ましい。
なお、貯留部材５３は、内部に貯留された蛍光流体ＦＦを撹拌して、当該蛍光流体ＦＦに含まれる上記粒子を分散させる撹拌装置を備えていてもよい。
【００３２】
［流体圧送装置の構成］
流体圧送装置５４は、いわゆるポンプであり、本発明の流動装置を構成する。この流体圧送装置５４は、循環部材５２２を介して貯留部材５３から蛍光流体ＦＦを吸引し、吸引した蛍光流体ＦＦを循環部材５２３に圧送する。これにより、上記循環流路内を蛍光流体ＦＦが循環する。
【００３３】
［流体噴射装置の構成］
図３は、蛍光流体ＦＦの流動方向に垂直な中空部材５１の断面における当該蛍光流体ＦＦの流動位置を示す図である。
流体吐出装置５５は、本発明の流動装置を構成する。この流体吐出装置５５は、循環部材５２３を介して流体圧送装置５４から供給された蛍光流体ＦＦを、上記中空部材５１内に噴射（吐出）する。この際、流体吐出装置５５は、図３に示すように、蛍光流体ＦＦの流動方向に垂直な断面における略中央を流動するように当該蛍光流体ＦＦを噴射する。このため、当該断面における一部を、蛍光流体ＦＦが流動することとなる。
このような流体吐出装置５５としては、当該蛍光流体ＦＦを吐出可能な種々の構成を採用可能である。例えば、流体吐出装置５５としては、ウォータージェット方式、気泡を生じさせて噴射する噴射方式及びレーザー誘起ジェット方式のいずれかにより蛍光流体ＦＦを噴射する噴射装置や、ソレノイド及びピエゾ等を用いて蛍光流体ＦＦを噴射する噴射装置を採用できる。
【００３４】
［発光素子の構成］
発光素子６は、励起光ＢＬを射出する。図２に示すように、励起光ＢＬは、中空部材５１の内部を流動している蛍光流体ＦＦに光透過部５１２を介して照射される。発光素子６としては、所定波長域の青色光を励起光ＢＬとして射出するＬＤ（Laser Diode）やＬＥＤ（Light Emitting Diode）を例示できる。
【００３５】
［リフレクターの構成］
リフレクター５６は、上記蛍光流体ＦＦから放射状に射出された照明光ＷＬを色分離装置３１側に反射させる。このリフレクター５６は、放物面状の反射面５６１を有する放物面リフレクターである。リフレクター５６は、反射面５６１の焦点から射出された光を反射して、略平行光として射出する。反射面５６１の焦点は、蛍光流体ＦＦに励起光ＢＬが照射される領域に配置されている。これにより、蛍光流体ＦＦにて発生した蛍光が、効率よく集光及び射出される。
なお、リフレクター５６は、放物面リフレクターに限らず、楕円面リフレクターや、自由曲面リフレクター等、他のリフレクターも採用可能である。
【００３６】
［光源装置における蛍光流体の流路］
上記光源装置４では、図３に示したように、蛍光流体ＦＦには、励起光ＢＬがリフレクター５６の焦点を含む領域で照射される。これによって生じた蛍光ＦＬは、当該励起光ＢＬの照射位置から放射状に射出される。放射状に射出された蛍光ＦＬのうち、一部の蛍光ＦＬはリフレクター５６の反射面５６１にて反射されて、平行光として射出される。
一方、中空部材５１を通過した蛍光流体ＦＦは、循環部材５２１を流動して、上記貯留部材５３に流入されて貯留される。この際、上記励起光ＢＬの照射によって熱せられた蛍光流体ＦＦが、当該貯留部材５３内に一時的に貯留されることにより、当該蛍光流体ＦＦの熱が貯留部材５３に伝導されて放熱される。これにより、蛍光流体ＦＦが冷却される。
【００３７】
貯留部材５３内に貯留された蛍光流体ＦＦは、循環部材５２２を介して流体圧送装置５４によって吸引及び圧送され、循環部材５２３を介して、再び流体吐出装置５５に供給される。このように蛍光流体ＦＦが循環することにより、蛍光流体ＦＦは、中空部材５１を安定的に流動して、蛍光を射出可能となる。
【００３８】
［第１実施形態の効果］
以上説明した本実施形態に係るプロジェクター１によれば、以下の効果が得られる。
波長変換材料（蛍光体）をそれぞれ含有する複数の粒子が含まれる蛍光流体ＦＦが、流体吐出装置５５によって中空部材５１内を流動する。そして、励起光ＢＬが照射された波長変換材料から射出された蛍光ＦＬを含む照明光ＷＬは、中空部材５１に設けられた光透過部５１２から射出される。これにより、当該蛍光ＦＬを利用可能となる。これによれば、蛍光流体ＦＦは、流体であるので破損することがなく、ひいては、破損による射出光量の低下が発生することがない。従って、蛍光ＦＬを安定して射出でき、信頼性の高い波長変換素子５を構成できる。
【００３９】
ここで、励起光ＢＬが照射されて生じる蛍光ＦＬは、当該励起光ＢＬの照射位置から外側に広がった後、蛍光流体ＦＦの界面から射出される。このため、中空部材５１内を流動する蛍光流体ＦＦの直径が小さい方が、発光面積が小さくなり、生じた蛍光を利用しやすくなる。蛍光流体ＦＦは、当該蛍光流体ＦＦの流動方向に垂直な中空部材５１の断面の一部を流動するので、当該蛍光流体ＦＦの直径を調整することにより、蛍光ＦＬの発光面積を小さくすることができる。
【００４０】
放物面リフレクターであるリフレクター５６の反射面５６１の焦点は、蛍光流体ＦＦに励起光ＢＬが照射される領域に配置されている。従って、蛍光流体ＦＦにて生じた蛍光ＦＬをリフレクター５６によって効率よく集光できる。
【００４１】
流体吐出装置５５によって、中空部材５１内に蛍光流体ＦＦを確実に供給できる。また、流体吐出装置５５は、蛍光流体ＦＦを小さな直径にて中空部材５１内に供給するので、蛍光ＦＬの発光面積を小さくすることができる。従って、発生した蛍光ＦＬの利用効率を高めることができる。
【００４２】
蛍光流体ＦＦは、流体圧送装置５４によって吸引及び圧送され、上記複数の循環部材５２等によって形成された循環流路にて循環される。従って、中空部材５１を通過した蛍光流体ＦＦを再利用できる。
【００４３】
中空部材５１は光透過部５１２を備えているため、蛍光流体ＦＦから射出された光を、光透過部５１２を通して取り出すことができる。また、光透過部５１２は耐熱性が高い上記光透過性材料によって形成されているため、熱による不具合が発生しにくい。
【００４４】
［第１実施形態の変形］
図４は、上記第１実施形態の変形であり、内部が蛍光流体ＦＦによって満たされた状態の中空部材５１の断面を示す図である。
上記プロジェクター１では、蛍光流体ＦＦは、蛍光流体ＦＦの流動方向に垂直な中空部材５１の断面における一部（具体的には略中央）を流動するとした。しかしながら、これに限らない。すなわち、図４に示すように、蛍光流体ＦＦが中空部材５１内を満たしつつ流動してもよい。この場合、流体圧送装置５４によって、蛍光流体ＦＦに循環流路を安定的に循環させることができるならば、流体吐出装置５５は無くてもよい。
【００４５】
このように、中空部材５１の内部が蛍光流体ＦＦによって満たされている場合には、当該中空部材５１内に励起光ＢＬを入射させさえすれば、励起光ＢＬを蛍光流体ＦＦに照射でき、当該蛍光流体ＦＦにて蛍光ＦＬを生じさせることができる。これによれば、蛍光流体ＦＦに励起光ＢＬが照射されるように、励起光ＢＬの照射位置や蛍光流体ＦＦの流動位置を細かく調整する必要がない。従って、一層安定して蛍光を射出でき、より信頼性の高い波長変換素子５を構成できる。
【００４６】
［第２実施形態］
次に、本発明の第２実施形態について説明する。
本実施形態に係るプロジェクターは、上記プロジェクター１と同様の構成を有するが、光源装置の構成が異なる点で、当該プロジェクター１と相違する。なお、以下の説明では、既に説明した部分と同一又は略同一である部分については、同一の符号を付して説明を省略する。
【００４７】
図５は、本実施形態に係るプロジェクターが備える光源装置４Ａの一部の構成を示す模式図である。
本実施形態に係るプロジェクターは、上記光源装置４に代えて光源装置４Ａを有する他は、上記プロジェクター１と同様の構成及び機能を有する。
この光源装置４Ａは、図５に示すように、中空部材５１及びリフレクター５６に代えて中空部材５１Ａ、ＰＢＳ（Polarizing Beam Splitter）５７、位相差板５８及びピックアップレンズ５９を有する他は、上記光源装置４と同様の構成及び機能を有する。すなわち、本実施形態において、光源装置４Ａは、波長変換素子５Ａ及び発光素子６を有する。また、波長変換素子５Ａは、一部の構成の図示を省略するが、中空部材５１Ａ、複数の循環部材５２、貯留部材５３、流体圧送装置５４、流体吐出装置５５、ＰＢＳ５７、位相差板５８及びピックアップレンズ５９を備えて構成される。
【００４８】
本実施形態では、発光素子６から射出された励起光ＢＬは、ＰＢＳ５７に対してＳ偏光として入射する。励起光ＢＬは、ＰＢＳ５７及び位相差板５８（λ／４板）を介して、中空部材５１Ａ内を流動している蛍光流体ＦＦに照射される。
【００４９】
ＰＢＳ５７は、偏光分離層５７３を備えている。偏光分離層５７３は、励起光ＢＬの波長帯の光に対しては偏光分離機能を有しているが、蛍光ＦＬの波長帯の光を、その偏光状態にかかわらず透過させる。このＰＢＳ５７は、上記入射面５７１と、入出射面５７２と、偏光分離層５７３と、射出面５７４と、を有する略直方体形状のプリズムとして構成されている。
入射面５７１を介して発光素子６からＳ偏光としてＰＢＳ５７へ入射した励起光ＢＬは、偏光分離層５７３により中空部材５１Ａ側に反射され、位相差板５８を通過した後、蛍光流体ＦＦに入射する。蛍光流体ＦＦからは、蛍光ＦＬと、励起光ＢＬのうち蛍光ＦＬに変換されなかった部分とが、ピックアップレンズ５９に向かって射出される。励起光ＢＬのうち蛍光ＦＬに変換されなかった部分は、位相差板５８によってＰ偏光に変換され、ＰＢＳ５７を通過する。蛍光ＦＬもＰＢＳ５７を通過する。このようにして、光源装置４Ａから照明光ＷＬが射出される。射出された照明光ＷＬは、上記色分離装置３１に入射される。
【００５０】
ピックアップレンズ５９は、位相差板５８を介して発光素子６から入射した励起光を、中空部材５１Ａ内を流動する蛍光流体ＦＦに向けて集光する。また、ピックアップレンズ５９は、当該蛍光流体ＦＦにて生じた蛍光を含む照明光ＷＬを取り込み、平行光に変換する。
【００５１】
図６は、内部を流動する蛍光流体ＦＦの流動方向に垂直な中空部材５１Ａの断面図である。
中空部材５１Ａは、上記中空部材５１と同様に、流体吐出装置５５から噴射された上記蛍光流体ＦＦが内部を流動可能に構成されている。この中空部材５１Ａは、図６に示すように、円筒状の管状部材である本体部５１Ａ１を有する。この本体部５１Ａ１は、上記光透過性材料によって形成された光透過部５１Ａ２を有する。光透過部５１Ａ２は、ピックアップレンズ５９から入射した励起光ＢＬと、蛍光流体ＦＦから射出された蛍光ＦＬとを含む照明光ＷＬを透過させる。中空部材５１Ａは、当該照明光ＷＬをピックアップレンズ５９側に反射させる光反射部５１Ａ３を有する。
【００５２】
光反射部５１Ａ３は、本実施形態では、本体部５１Ａ１の外面に形成されている。具体的に、光反射部５１Ａ３は、蛍光流体ＦＦの流動方向に垂直な中空部材５１Ａの断面において、円弧状に形成されている。このような形状を有する光反射部５１Ａ３は、照明光ＷＬを集光してピックアップレンズ５９側に反射させる。すなわち、光反射部５１Ａ３において上記断面に応じた部位（光反射部５１Ａ３の上記断面において本体部５１Ａ１と対向する部位）は、本発明の曲線部に相当し、本体部５１Ａ１において光反射部５１Ａ３とは反対側の位置に、光透過部５１Ａ２が位置する。
【００５３】
ここで、光反射部５１Ａ３の寸法は、ピックアップレンズ５９の取り込み角に応じて設定される。
具体的に、図６に示すように、蛍光流体ＦＦの流動方向に垂直な平面におけるピックアップレンズ５９の取り込み角がαである場合、中空部材５１Ａの周方向における光反射部５１Ａ３の寸法は、当該取り込み角外の範囲に射出される照明光ＷＬが光反射部５１Ａ３に入射されるように設定される。また、図示を省略するが、蛍光流体ＦＦの流動方向における光反射部５１Ａ３の寸法も、ピックアップレンズ５９の取り込み角に応じて設定される。
【００５４】
蛍光流体ＦＦから射出された照明光ＷＬのうち、一部の照明光ＷＬは、光透過部５１Ａ２を介してピックアップレンズ５９に入射される。また、他の一部の照明光ＷＬは、光反射部５１Ａ３によって反射されて、光透過部５１Ａ２を介してピックアップレンズ５９に入射される。このような光反射部５１Ａ３を有する中空部材５１Ａにより、光反射部５１Ａ３を有しない中空部材が採用される場合に比べて、照明光ＷＬを効率よくピックアップレンズ５９に入射させることができる。
【００５５】
なお、蛍光流体ＦＦは、上記第１実施形態にて示したように、当該蛍光流体ＦＦの流動方向に垂直な中空部材５１Ａの断面の一部に流動させてもよく、上記第１実施形態の変形にて示したように、中空部材５１Ａの内部を満たすように流動させてもよい。
また、流体吐出装置５５は、必須の構成ではなく、流体圧送装置５４によって安定的に蛍光流体ＦＦを循環させることができるならば、流体吐出装置５５は無くてもよい。
【００５６】
［第２実施形態の効果］
以上説明した本実施形態に係るプロジェクターによれば、上記プロジェクター１と同様の効果を奏することができる他、以下の効果がある。
照明光ＷＬは、光反射部５１Ａ３にて反射されて、光透過部５１Ａ２から射出されるので、当該照明光ＷＬをピックアップレンズ５９に入射させやすくすることができ、当該照明光ＷＬを利用しやすくすることができる。
【００５７】
曲線部に相当する円筒状の本体部５１Ａ１に沿って設けられた光反射部５１Ａ３によって、照明光ＷＬを効率よく集光及び射出できる。従って、当該照明光ＷＬの利用効率をより高めることができる。
光反射部５１Ａ３は、ピックアップレンズ５９の取り込み角に応じて設けられているため、ピックアップレンズ５９は効率的に照明光ＷＬを取り込むことができる。
【００５８】
［第２実施形態の変形］
図７は、上記中空部材５１Ａの変形例である中空部材５１Ｂを示す断面図である。
上記中空部材５１Ａでは、本体部５１Ａ１において光反射部５１Ａ３が設けられる部位は、円筒状であった。しかしながら、これに限らず、光反射部５１Ａ３が設けられる部位が外側に突出（膨出）していてもよい。
例えば、中空部材５１Ｂは、図７に示すように、光透過部５１Ａ２と同様の、上記光透過性材料により形成された光透過部５１Ｂ２を有する本体部５１Ｂ１と、光反射部５１Ｂ３と、を有する。
これらのうち、本体部５１Ｂ１は、蛍光流体ＦＦの流路上における上記励起光ＢＬの照射位置Ｐを中心とし、かつ、当該励起光ＢＬの入射側とは反対側に半球状に突出した突出部５１Ｂ４を有する。そして、光反射部５１Ｂ３は、ピックアップレンズ５９の取り込み角に基づいて、反射面が当該突出部５１Ｂ４の外面に沿うように設けられる。
【００５９】
図８は、上記中空部材５１Ａの変形例である中空部材５１Ｃを示す断面図である。
中空部材５１Ｃは、図８に示すように、上記光透過部５１Ｂ２を有する本体部５１Ｃ１と、光反射部５１Ｂ３と、を有する。
本体部５１Ｃ１は、上記突出部５１Ｂ４と同様の突出部５１Ｃ４を有するが、当該突出部５１Ｃ４は、本体部５１Ｃ１の構成材料である上記光透過性材料によって中実に形成されている。すなわち、上記本体部５１Ｂ１では、突出部５１Ｂ４において内径寸法が他の部位と異なるが、本体部５１Ｃ１においては、内径寸法は略一定である。そして、光反射部５１Ｂ３は、ピックアップレンズ５９の取り込み角に基づいて、反射面が当該突出部５１Ｃ４の外面に沿うように設けられる。
【００６０】
図９は、上記中空部材５１Ａの変形例である中空部材５１Ｄを示す断面図である。
中空部材５１Ｄは、図９に示すように、本体部５１Ｄ１及び光反射部５１Ｂ３を有し、本体部５１Ｄ１は、当該光反射部５１Ｂ３が設けられる上記突出部５１Ｂ４を有する。
本体部５１Ｄ１は、上記光透過性材料により形成された光透過部５１Ｄ２を有するが、当該光透過部５１Ｄ２は、突出部５１Ｂ４と同様に、上記照射位置Ｐを中心として励起光ＢＬの入射側に半球状に突出している。すなわち、光透過部５１Ｄ２及び突出部５１Ｂ４の配置位置において、本体部５１Ｄ１は、略球形状をなしている。
なお、光透過部５１Ｄ２及び突出部５１Ｂ４は、上記中空部材５１Ｃと同様に、上記光透過性材料によって中実に形成され、内径寸法が一定となるように、中空部材５１Ｄが形成されてもよい。
【００６１】
これら中空部材５１Ｂ〜５１Ｄが中空部材５１Ａに代えて採用された場合、当該中空部材５１Ａが採用されたプロジェクターと同様の効果を奏することができる他、以下の効果を奏することができる。
本体部５１Ｂ１には、励起光ＢＬの照射位置Ｐを中心として励起光ＢＬの入射側とは反対側に略半球状に突出する突出部５１Ｂ４が設けられ、当該突出部５１Ｂ４に沿って光反射部５１Ｂ３が設けられている。これによれば、励起光ＢＬの照射位置を中心として放射状に拡散する蛍光ＦＬを、より効率よく集光及び反射させることができる。従って、光透過部５１Ｂ２から上記照明光ＷＬを効率よく射出でき、より多くの照明光ＷＬをピックアップレンズ５９に入射させることができるので、光の利用効率を向上できる。
他の中空部材５１Ｃ，５１Ｄが採用された場合も同様である。
【００６２】
［第３実施形態］
次に、本発明の第３実施形態について説明する。
本実施形態に係るプロジェクターは、上記第２実施形態にて示したプロジェクターと同様の構成を有する。ここで、第２実施形態にて示したプロジェクターでは、中空部材５１Ａの本体部５１Ａ１は、円筒状の管状部材として構成されていた。これに対し、本実施形態に係るプロジェクターでは、中空部材の本体部は、所定の間隔を隔てて配置された一対の透光性基板を有する平板状部材として構成されている。この点で、本実施形態に係るプロジェクターと上記第２実施形態にて示したプロジェクターとは相違する。なお、以下の説明では、既に説明した部分と同一又は略同一である部分については、同一の符号を付して説明を省略する。
【００６３】
図１０は、本実施形態に係るプロジェクターが備える光源装置４Ｅの一部の構成を示す模式図である。
本実施形態に係るプロジェクターは、上記光源装置４Ａに代えて光源装置４Ｅを有する他は、上記第２実施形態にて示したプロジェクターと同様の構成及び機能を有する。
光源装置４Ｅは、図１０に示すように、中空部材５１Ａに代えて中空部材５１Ｅを有する他は、上記光源装置４Ａと同様の構成を有する。具体的に、光源装置４Ｅは、波長変換素子５Ｅ及び発光素子６を有する。この波長変換素子５Ｅは、一部の構成の図示を省略するが、中空部材５１Ｅ、複数の循環部材５２、貯留部材５３、流体圧送装置５４、流体吐出装置５５、ＰＢＳ５７、位相差板５８及びピックアップレンズ５９を有する。
【００６４】
図１１及び図１２は、中空部材５１Ｅを示す断面図である。詳述すると、図１１は、蛍光流体ＦＦの流動方向及び励起光ＢＬの入射方向により規定される平面に沿う中空部材５１Ｅの断面図であり、図１２は、当該蛍光流体ＦＦの流動方向に垂直な平面に沿う中空部材５１Ｅの断面図である。
中空部材５１Ｅは、図１１及び図１２に示すように、上記光透過性材料によって形成された一対の透光性基板５１ＥＡ，５１ＥＢが所定の間隔を隔てて配置された構成を有し、これらの間に、上記蛍光流体ＦＦが流動可能な流路が形成されている。なお、蛍光流体ＦＦは、当該蛍光流体ＦＦの流動方向に垂直な中空部材５１Ｅの断面の一部を流動するように構成してもよく、透光性基板５１ＥＡ，５１ＥＢ間を満たしつつ流動してもよい。
励起光ＢＬの入射側に位置する透光性基板５１ＥＡは、当該励起光ＢＬ及び上記照明光ＷＬが透過可能な光透過部５１Ｅ２として機能する。
【００６５】
また、透光性基板５１ＥＢにおいて透光性基板５１ＥＡとは反対側の面には、光反射部５１Ｅ３が設けられ、当該光反射部５１Ｅ３は、入射された励起光ＢＬ及び蛍光流体ＦＦにて生じた蛍光を、透光性基板５１ＥＡ側に反射させる。なお、透光性基板５１ＥＢにおける透光性基板５１ＥＡ側の面に光反射部５１Ｅ３が設けられていてもよい。
このような透光性基板５１ＥＢは、図１２に示すように、蛍光流体ＦＦの流動方向に垂直な中空部材５１Ｅの断面において直線部を構成する。
以上説明した中空部材５１Ｅを有する光源装置４Ｅを備えたプロジェクターによっても、上記第２実施形態にて示したプロジェクターと同様の効果を奏することができる。
【００６６】
［第３実施形態の変形例］
図１３は、中空部材５１Ｅの変形例である中空部材５１Ｆを示す断面図である。詳述すると、図１３は、内部を流動する蛍光流体ＦＦの流動方向に垂直な中空部材５１Ｆの断面を示す図である。
上記中空部材５１Ｅでは、本体部５１Ｅ１は、一対の透光性基板５１ＥＡ，５１ＥＢが所定の間隔を隔てて組み合わされることによって構成された。しかしながら、このような構成の中空部材５１Ｅに限らず、例えば、図１３に示す中空部材５１Ｆを当該中空部材５１Ｅに代えて採用してもよい。
【００６７】
この中空部材５１Ｆは、励起光ＢＬの入射側に位置する透光性基板５１ＥＡと、平板状の反射部材５１ＦＢとが所定の間隔を隔てて組み合わされることによって構成される本体部５１Ｆ１を有する。この本体部５１Ｆ１においては、透光性基板５１ＥＡが、光透過部５１Ｅ２を構成し、反射部材５１ＦＢが、光反射部５１Ｆ３を構成する。
この中空部材５１Ｆを中空部材５１Ｅに代えてプロジェクターに採用した場合でも、当該中空部材５１Ｅが採用されたプロジェクターと同様の効果を奏することができる。
【００６８】
［第４実施形態］
次に、本発明の第４実施形態について説明する。
本実施形態に係るプロジェクターは、上記第３実施形態にて示したプロジェクターと同様の構成を有する他、光源装置が上記中空部材５１Ｅを揺動させる駆動装置を有する。この点で、本実施形態に係るプロジェクターと、当該第３実施形態にて示したプロジェクターとは相違する。なお、以下の説明では、既に説明した部分と同一又は略同一である部分については、同一の符号を付して説明を省略する。
【００６９】
図１４は、本実施形態に係るプロジェクターが有する駆動装置ＤＵにより中空部材５１Ｅが励起光ＢＬの入射方向に垂直な平面に沿って円運動する様子を示す図である。
本実施形態に係るプロジェクターは、光源装置４Ｅに代えて光源装置４Ｇを有する他は、上記第３実施形態にて示したプロジェクターと同様の構成及び機能を有する。
光源装置４Ｇは、上記光源装置４Ｅの構成に加えて、図１４に示すように、中空部材５１Ｅを揺動させる駆動装置ＤＵを備える。具体的に、光源装置４Ｇは、波長変換素子５Ｇ及び発光素子６を有する。この波長変換素子５Ｇは、一部の構成の図示を省略するが、蛍光流体ＦＦと、中空部材５１Ｅ、複数の循環部材５２、貯留部材５３、流体圧送装置５４、流体吐出装置５５、ＰＢＳ５７、位相差板５８、ピックアップレンズ５９及び駆動装置ＤＵと、を有する。
流体吐出装置５５は、蛍光流体ＦＦが中空部材５１Ｅの内部に形成された流路（すなわち、透光性基板５１ＥＡ，５１ＥＢ間の隙間）を満たすように蛍光流体ＦＦを噴射することが好ましい。
【００７０】
駆動装置ＤＵは、上記のように、励起光ＢＬの入射方向に対して垂直な平面に沿って、励起光ＢＬの照射位置Ｐを中心として中空部材５１Ｅを揺動させる。
具体的に、駆動装置ＤＵは、中空部材５１Ｅに対する励起光ＢＬの入射方向に沿う回転軸を中心として回転する回転部ＤＵ１を有し、当該回転部ＤＵ１と中空部材５１Ｅの一部が係合している。このため、回転部ＤＵ１の回転に伴って、中空部材５１Ｅが、上記垂直な平面に沿って、励起光ＢＬの照射位置Ｐを中心とする円を描くように揺動する。
中空部材５１Ｅ内を満たすように流動する蛍光流体ＦＦの流速が高くない場合でも、駆動装置ＤＵにより当該蛍光流体ＦＦの流速を補うことができる。従って、蛍光流体ＦＦが励起光ＢＬによって加熱され過ぎない程度に、中空部材５１内を流動させることができる。
【００７１】
なお、駆動装置ＤＵによって中空部材５１Ｅ内の蛍光流体ＦＦの流速を補うことができるので、上記流体吐出装置５５は、必ずしも高い流速で蛍光流体ＦＦを噴射する必要がない。従って、流体圧送装置５４の圧送によって中空部材５１Ｅ内に供給されて、駆動装置ＤＵによって揺動されている中空部材５１Ｅ内を流動する蛍光流体ＦＦの流速が十分に確保できれば、流体吐出装置５５は省略可能である。
また、中空部材５１Ｅに代えて中空部材５１Ｆを採用してもよい。
【００７２】
［第４実施形態の効果］
以上説明した本実施形態に係るプロジェクターによれば、上記第３実施形態にて示したプロジェクターと同様の効果を奏することができる他、以下の効果がある。
上記のように、駆動装置ＤＵによって中空部材５１Ｅが揺動されることにより、当該中空部材５１Ｅ内における蛍光流体ＦＦの流速を補うことができる。従って、蛍光流体ＦＦが励起光ＢＬによって加熱され過ぎない程度に、中空部材５１内を確実に流動させることができる。
【００７３】
［各実施形態の変形］
本発明は、上記各実施形態に限定されるものではなく、本発明の目的を達成できる範囲での変形、改良等は本発明に含まれるものである。
上記第１及び第２実施形態では、中空部材は、円筒状の管状部材である本体部を有し、これら中空部材において蛍光流体ＦＦの流動方向に垂直な断面は、略円形状を有するとした。しかしながら、本発明はこれに限らない。例えば、当該断面は、楕円形状や多角形状を有していてもよい。
【００７４】
上記第１〜第３実施形態では、中空部材内部が蛍光流体ＦＦによって満たされない場合には、蛍光流体ＦＦは、当該蛍光流体ＦＦの流動方向に垂直な中空部材の断面における略中央を流動するとした。しかしながら、本発明はこれに限らない。例えば、蛍光流体ＦＦは、当該断面における励起光ＢＬの入射側の位置を流動してもよい。すなわち、中空部材における蛍光流体ＦＦの流動位置は、どこでもよい。
【００７５】
上記各実施形態では、光透過部は、ガラス、セラミックス及び単結晶体等の光透過性材料により構成されているとした。しかしながら、本発明はこれに限らない。すなわち、必要な光透過性及び耐熱性を得られれば、光透過部は、他の材料により形成されていてもよい。また、中空部材全体を上記光透過性材料により形成してもよい。
【００７６】
上記第２〜第４実施形態では、発光素子６から射出された励起光ＢＬと、中空部材内を流動する蛍光流体ＦＦにて生じた蛍光ＦＬを含む照明光ＷＬとが、ＰＢＳ５７、位相差板５８及びピックアップレンズ５９を通過する構成であった。しかしながら、本発明はこれに限らない。すなわち、励起光ＢＬをピックアップレンズ５９に向かわせ、かつ、当該ピックアップレンズ５９を通過した蛍光を波長変換素子外に射出させる光学部品は、他の特性を有するものでもよい。例えば、ＰＢＳ５７及び位相差板５８に代えてダイクロイックミラーを設けてもよい。この場合、当該ダイクロイックミラーによって発光素子６から射出された励起光ＢＬをピックアップレンズ５９側に反射させ、ピックアップレンズ５９を介して入射される蛍光ＦＬが当該ダイクロイックミラーを透過して波長変換素子外に射出される構成としてもよい。なお、この場合には、ダイクロイックミラーを透過した蛍光ＦＬに青色光（例えば励起光ＢＬの一部）を合成することで白色の照明光ＷＬを生成してもよく、上記波長変換素子を有する光源装置とは別に、青色光を射出する青用光源装置を設けてもよい。
また、中空部材への励起光ＢＬの照射光路と、中空部材からの照明光ＷＬの射出光路とは異なっていてもよい。すなわち、本発明は、ＰＢＳ５７及び位相差板５８を有する構成に限らない。
【００７７】
上記各実施形態では、光源装置４，４Ａ，４Ｅ，４Ｇは、励起光である青色光と、緑色光及び赤色光とを含む照明光ＷＬを射出する構成であった。しかしながら、本発明はこれに限らない。すなわち、照射された励起光の略全てが利用されて蛍光が射出される場合、すなわち、光源装置４，４Ａ，４Ｅ，４Ｇから射出される光に青色光成分が略含まれない場合には、青色光を射出する青用光源装置を別途設けてもよい。
【００７８】
上記各実施形態では、プロジェクター１は、３つの光変調装置３２（３２Ｒ，３２Ｇ，３２Ｂ）を備えるとした。しかしながら、本発明はこれに限らない。例えば、２つ以下、或いは、４つ以上の光変調装置を用いたプロジェクターにも、本発明を適用可能である。
【００７９】
上記各実施形態では、光変調装置３２（３２Ｒ，３２Ｇ，３２Ｂ）は、透過型の液晶ライトバルブ３２２を有するとした。しかしながら、本発明は、これに限らない。例えば、反射型の液晶ライトバルブを有する光変調装置を用いてもよい。この場合、色分離機能及び色合成機能を有するプリズムにより、色分離及び色合成が実施されるように光学ユニット３を構成してもよい。
また、光変調装置３２は、入射される光を変調して画像情報に応じた画像を形成可能な光変調装置であればよく、液晶ライトバルブを有する構成に限らず、マイクロミラーを用いたデバイスを利用したものなど、液晶以外の光変調装置を用いてもよい。
【００８０】
上記各実施形態では、上記波長変換素子５，５Ａ，５Ｅ，５Ｇを備える光源装置４，４Ａ，４Ｅ，４Ｇがプロジェクター１に適用される例を示した。しかしながら、本発明は、これに限らない。例えば、本発明に係る光源装置は、照明器具及び自動車等のヘッドライト等に使用してもよい。
【符号の説明】
【００８１】
１…プロジェクター、４，４Ａ，４Ｅ，４Ｇ…光源装置、５，５Ａ，５Ｅ，５Ｇ…波長変換素子、５１，５１Ａ，５１Ｂ，５１Ｃ，５１Ｄ，５１Ｅ，５１Ｆ…中空部材、５１１，５１Ａ１，５１Ｂ１，５１Ｃ１，５１Ｄ１…本体部（曲線部）、５１２，５１Ａ２，５１Ｂ２，５１Ｄ２，５１Ｅ２…光透過部、５１Ａ３，５１Ｂ３…光反射部（曲線部）、５１Ｅ３，５１Ｆ３…光反射部、５１ＥＢ…透光性基板、５１Ｆ３…反射部材、５３…貯留部材、５４…流体圧送装置（流動装置）、５５…流体噴射装置（流体吐出装置、流動装置）、５６…リフレクター、５６１…反射面、５９…ピックアップレンズ、６…発光素子、ＦＦ…蛍光流体、ＦＬ…蛍光。
【図１】
2017027875.tif 000003
【図２】
2017027875.tif 000004
【図３】
2017027875.tif 000005
【図４】
2017027875.tif 000006
【図５】
2017027875.tif 000007
【図６】
2017027875.tif 000008
【図７】
2017027875.tif 000009
【図８】
2017027875.tif 000010
【図９】
2017027875.tif 000011
【図１０】
2017027875.tif 000012
【図１１】
2017027875.tif 000013
【図１２】
2017027875.tif 000014
【図１３】
2017027875.tif 000015
【図１４】
2017027875.tif 000016